(57)【特許請求の範囲】
【請求項１】
撮像装置及び当該撮像装置が撮影した画像データを無線方式で送信する手段が設けられた使用者が携帯可能な鏡と、前記撮像装置から送信された画像データに基づき映像を表示する表示装置と、照明装置とを備え、前記撮像装置のレンズを前記鏡の鏡面が面する側に臨ませたことを特徴とする化粧設備。
【請求項２】
前記鏡の鏡体内に開設した撮影窓に、前記撮像装置のレンズを臨ませた請求項１に記載の化粧設備。
【請求項３】
前記表示装置は、化粧設備の近傍に位置する立面に、前記撮像装置で撮影した映像を投射する投影装置から成っている請求項１又は２に記載の化粧設備。
【発明の詳細な説明】
【技術分野】
【０００１】
本発明は、洗面化粧台や鏡台等の化粧設備の改良に関し、使用者の後頭部等、通常は見えにくい部位を容易に観察できるようにすることを目的とする。
【背景技術】
【０００２】
特許文献１に、鏡を備える洗面キャビネットにおいて、小型カメラを先端に取り付けたケーブルを設けると共に、鏡の中央部をハーフミラーとしてその背面側にモニター装置を設け、カメラで撮影した映像をモニター装置に映し出せるようにした化粧設備が記載されている。この化粧設備によれば、小型カメラで口腔内等の画像をモニター画面に拡大表示することができるとされている。
【特許文献１】実願平５−１５８６８号公報
【発明の開示】
【発明が解決しようとする課題】
【０００３】
特許文献１に記載された化粧設備は、小型カメラで口腔内の画像表示が出来るものの、使用者が例えばヘアーメイク時に見たいと思う頭頂部や後頭部の観察には適していない。また、三面鏡を用いたり手鏡を合わせ鏡にしたりすれば頭頂や後頭部を見ることも可能であるが、この場合、鏡に映し出される影像は小さくならざるを得ないので、詳細な観察が難しいという問題がある。
【課題を解決するための手段】
【０００４】
前記問題を解決するために本発明が採用した化粧設備の特徴とするところは、請求項１に記載する如く、撮像装置及び当該撮像装置が撮影した画像データを無線方式で送信する手段が設けられた使用者が携帯可能な鏡と、前記撮像装置から送信された画像データに基づき映像を表示する表示装置と、照明装置とを備え、前記撮像装置のレンズを前記鏡の鏡面が面する側に臨ませたことである。
【０００５】
前記化粧設備において、撮像装置が設けられる鏡については、請求項２に記載するように、鏡体内に開設した撮影窓に、前記撮像装置のレンズを臨ませる構成とすることができる。
【０００６】
また本発明に係る化粧設備は、請求項３に記載するように、前記表示装置は、化粧設備の近傍に位置する立面に、前記撮像装置で撮影した映像を投射する投影装置から成っているものとすることができる。
【発明の効果】
【０００７】
本発明に係る化粧設備によれば、携帯可能な鏡に撮像装置を設け、この撮像装置のレンズを前記鏡の鏡面が面する側に臨ませると共に、撮像装置で撮影した映像を表示する表示装置を備えるので、観察したい箇所の近傍まで鏡を移動させて撮像装置で所望箇所を撮影し、その映像を表示装置に表示させることにより、通常は簡単には見ることのできない部位、例えば頭頂や後頭部などを容易に観察することが可能となる。しかも、表示装置で拡大映像を表示することも容易であるから、所望箇所の詳細な観察ができる。撮像装置を鏡に設けてあるから、室内に設置されている照明装置の光を鏡で反射させて撮影箇所に照射することにより、別に照明手段を用意することなく、明るい映像を取得できる。撮像装置は画像データを無線方式で送信するものとしたから、表示装置との間の配線が不要であり、その結果、撮像装置を設けた鏡の移動が簡単である。
【０００８】
本発明が対象とする化粧設備には、化粧・ヘアーメイク・衣装合わせ・着付け等を行う際に用いられる洗面化粧台・鏡台・ドレッサー等の家具のほか、この種の家具が設置される洗面室や化粧室などの部屋自体、あるいは壁面等に前記家具と同様の機能を組み込んで洗面室や化粧室と成した部屋をも含むものとする。撮像装置は、ＣＣＤカメラやＣＭＯＳカメラ、その他これらに類する小型のカメラモジュールを使用するのが好適であるが、デジタルカメラ製品やデジタルビデオカメラ製品を利用することも妨げない。表示装置は映像表示できるものであれば特に限定されるものでなく、液晶ディスプレイ・有機ＥＬディスプレイ・プラズマディスプレイ・ＣＲＴディスプレイ等が使用可能であり、表示面積、設置環境、価格等の条件に応じて適宜選択すればよい。また、プロジェクター等の投影装置で、壁面やスクリーンに映像を投射するものも採用可能である。
【０００９】
本発明の請求項２では、鏡の鏡体内に開設した撮影窓に撮像装置のレンズを臨ませる構成としたので、撮影したい箇所に鏡を正対させるだけで、目的とする映像を確実に取得できる。従って、所望箇所の撮影に最適となるように鏡の姿勢を制御するのが直感的に行える。また、レンズを臨ませた撮影窓の周囲が鏡面であるから、照明装置の光を鏡面で反射させて、撮影箇所に効率よく光を照射することができる。
【００１０】
本発明の請求項３によれば、化粧設備の近傍に位置する立面に映像を投射する投影装置を表示装置としたので、大きな映像を容易に得ることができる。
【発明を実施するための最良の形態】
【００１１】
［第１の実施形態］
図１は、化粧設備の一種である洗面化粧台Ｋに本発明を適用した例を示すものである。当該洗面化粧台Ｋは、水栓器具Ｒ及び洗面器Ｓを備えるキャビネットＱの上方に、比較的大型の固定鏡Ｍと照明装置Ｌとが設けられている。本発明に係る洗面化粧台Ｋは、キャビネットＱの上面など任意の場所に置くことができ、且つ使用者が容易に持ち運べる携帯鏡１０に撮像装置を設けると共に、この撮像装置で撮影した映像を表示する表示装置２０を固定鏡Ｍに組み込むか又は裏面側に設置したところを特色とする。
【００１２】
図２は、携帯鏡１０の一例を示すものであり、鏡体１１をグリップ１２と載置部１３とで起立状態に支持できるよう構成されている。本例では、鏡体１１の裏面側であってグリップ１２の取付箇所にハウジング１４を設け、このハウジング１４内に撮像装置１５と電池１６とを収納した。また鏡体１１の中央部に、撮像装置１５のレンズ１５ａを鏡の鏡面が面する側に臨ませる撮影窓１１ａを開設した。撮像装置１５は、例えば無線送信機構を組み込んだＣＣＤカメラモジュール・ＣＭＯＳカメラモジュールなどが用いられる。送信方式は、電波あるいは赤外線等の光線によるものが一般的である。このため、撮像装置１５からデータ送信するためのアンテナ１７又は赤外線の発光ポート等が、携帯鏡１０の適所に必要に応じ設けられる。なお図示は省略したが、撮像装置１５のＯＮ・ＯＦＦのほか、撮影倍率や感光度などの動作を制御するための操作装置は、携帯鏡１０のグリップ１２に設けてもよく、あるいは操作用のリモコンを独立させて設けたり、洗面化粧台Ｋの適所に組み込んだりすることが考えられる。
【００１３】
携帯鏡１０の構成は、前記の態様に限定されるものではなく、種々の変更を妨げない。鏡体１１の形状は円形や、図４に示すような長方形・正方形のほか、任意の多角形が可能である。撮像装置１５は鏡体１１の上縁部等に配置することも可能であり、この場合、鏡体１１に撮影窓を設けることが不要になる。
【００１４】
表示装置２０は、画像表示できるものであれば、その種類は特に制限されないが、例えば液晶ディスプレイ・有機ＥＬディスプレイ・プラズマディスプレイ・ＣＲＴディスプレイ等を用いることができる。固定鏡Ｍの一部を切り欠いて、表示装置２０の表示面を使用者側へ露出させることもできるが、固定鏡Ｍの全体又は少なくとも表示面に相当する領域をハーフミラーで形成し、その裏面側に表示装置２０を配設する構成も可能である。このようにすれば、表示装置２０の非使用時は、固定鏡Ｍ全面を鏡として使用することが可能となると共に、表示装置２０が露出しないので美観性を損なうことがない。
【００１５】
表示装置２０には、撮像装置１５から送信される画像データを表示装置２０で表示できるように処理するための画像処理装置２１が接続され、この画像処理装置２１に、データを受信するためのアンテナ２２又は赤外線受光器などが設けられる。また図示は省略したが、これらの装置に電力を供給するための電源装置も備えられる。表示装置２０の操作装置は、別途リモコンを独立させて設けたり、洗面化粧台Ｋの適所に組み込んだりしてもよいが、撮像装置１５の操作装置と一体に設けてもよく、さらには撮像装置１５の動作と連動させるように構成することも可能である。
【００１６】
上記の如く構成された化粧設備（洗面化粧台Ｋ）の使用態様を、図３を参照して説明する。使用者Ｐが固定鏡Ｍのみでは観察しにくい部位（例えばヘアーメイク時における頭頂や後頭部、着付け時における背面側、口腔内、など）を見ようとする場合、従来、手鏡を用いて合わせ鏡とし、手鏡に映し出された鏡像をさらに正面の固定鏡Ｍで視認するという方法を採っているため、非常に小さな影像にならざるを得ず、詳細が分かりづらかった。これに対し本発明では、使用者Ｐがグリップ１２を把持して移動させることにより、携帯鏡１０を観察希望箇所と正対する位置に配置し、撮像装置１５で所望箇所を撮影し、得られた画像データを洗面化粧台Ｋ側へ無線方式により送信し、表示装置２０で表示させるものである。それ故、観察希望箇所の拡大した映像を表示装置２０に表示できるから、視認を所望する箇所を従来よりはるかに詳細に且つ容易に観察することが可能となる。また、洗面化粧台Ｋに備えられる照明装置Ｌの光を携帯鏡１０で反射させて撮影箇所へ投射することにより、別途光源を用意することなく、明るい映像を得ることができる。
【００１７】
なお表示装置２０に表示させる映像は、動画でも静止画でも、さらには一定の時間間隔で撮影した連続する静止画でもよい。また撮影と同時的に表示させるだけでなく、録画装置またはバッファ装置を設けて撮像装置１５で撮影した画像データを一時的に保存し、所定時間の経過後（例えば３〜１０秒後、または任意の設定時間後）、表示装置２０に映像を再生するように構成することも可能である。この例は、目、顔の正面側、口腔内など、通常は、撮影と同時に表示装置２０を目視するのが困難となる箇所を観察する場合に適している。
【００１８】
［第２の実施形態］
図５は、壁面又はスクリーン５０に映像を投影する投影装置４０を、撮影画像の表示装置とする場合の実施形態を示すものである。洗面化粧台Ｋが設置される洗面室１と、これに隣接する浴室２との境界に位置する仕切り壁４の一部を透明又は半透明にしてスクリーン５０を配設し、洗面室１側に撮像装置を設けた可動鏡３０を配設し、浴室２側にプロジェクタ等の投影装置４０を配設したものである。なお仕切り壁４を半透明にする場合、仕切り壁４自体をスクリーン５０として利用することも可能である。また本例では、洗面室１が、本発明の化粧設備に相当している。
【００１９】
可動鏡３０は携帯可能とするほか、壁面に可動ブラケットで取り付け、鏡面の角度を変更可能にしたものでもよい。可動鏡３０を携帯可能とした時は、撮像装置からの画像データを無線方式により直接、または送信距離が長いときは中継器等を介して、投影装置４０へ送信される。可動鏡３０がブラケットで取着されている時は、撮像装置と投影装置４０とを配線３１で接続すればよい。
【００２０】
前記化粧設備では、可動鏡３０の撮像装置で撮影した映像を、浴室２側に設けた投影装置４０からスクリーン５０へ投射して、洗面室１側で見ることができる。本例の表示装置は、大型のスクリーン５０を使用可能であるから、ディスプレイ装置を用いる場合と比べて大きな映像を提示できるので、広範囲の観察に適している。なお投影装置４０から投射される映像は浴室２側からも見ることができるから、例えば映画やテレビ番組等を投影して、使用者が浴槽３に入浴しながら各種番組を鑑賞するのに利用することも考えられる。
【００２１】
図６に示すように、投影装置４０を、洗面室１側に設置することも可能である。この場合は、洗面室１側から仕切り壁４に映像を投射するから、仕切り壁４を透明又は半透明に形成する必要がなく、場合によっては、仕切り壁４自体をスクリーン５０として利用することも考えられる。但し、浴室２側で入浴しながら映像番組を鑑賞できるようにする場合は、仕切り壁４を透明又は半透明に形成する必要がある。なお本例では、投影装置４０から映像を投射する面は、洗面室１内の立面であればよく、仕切り壁４に限定されない。また本例では、可動鏡３０の撮像装置と投影装置４０との距離が短くなるから、画像データ送信には無線方式が採用可能である。
【００２２】
本発明は前記以外に、鏡台やドレッサー及びこれらが置かれる寝室や居室等に適用することができ、その他、実施の状況に応じ適宜変更することを妨げない。
【図面の簡単な説明】
【００２３】
【図１】本発明の第１の実施形態を示すものであって、本発明を適用した洗面化粧台の斜視図である。
【図２】本発明の実施に利用する携帯鏡を示すものであって、図（Ａ）は正面図、図（Ｂ）は側面図、図（Ｃ）は要部の側面断面図である。
【図３】本発明の第１の実施形態を示すものであって、本発明を適用した洗面化粧台の利用状況を示す側面図である。
【図４】本発明の実施に利用する携帯鏡の異なる形態を示すものであって、図（Ａ）は正面図、図（Ｂ）は側面図である。
【図５】本発明の第２の実施形態を示すものであって、本発明を適用した洗面室と、これに隣接する浴室とを簡略化して示す斜視図である。
【図６】本発明の第２の実施形態の異なる態様を示すものであって、本発明を適用した洗面室と、これに隣接する浴室とを簡略化して示す斜視図である。
【符号の説明】
【００２４】
Ｋ…洗面化粧台  Ｐ…使用者  １…洗面室  ２…浴室  ３…浴槽  ４…仕切り壁  １０…携帯鏡  １１…鏡体  １１ａ…撮影窓  １２…グリップ  １３…載置部  １４…ハウジング  １５…撮像装置  １５ａ…レンズ  １６…電池  １７…アンテナ  ２０…表示装置  ２１…画像処理装置  ２２…アンテナ  ３０…可動鏡  ４０…投影装置  ５０…スクリーン  
【図１】
0004838003.tif 000002
【図２】
0004838003.tif 000003
【図３】
0004838003.tif 000004
【図４】
0004838003.tif 000005
【図５】
0004838003.tif 000006
【図６】
0004838003.tif 000007